(57)【要約】【課題】希望の位置の画素の希望の色の変更を少ないボタン操作で行うことが可能な携帯型端末装置を提供する。【解決手段】操作部のマトリックスボタンスイッチにおいては、「赤（ｒｅｄ）」が「２」に、「緑（ｇｒｅｅｎ）」が「９」に、「青（ｂｌｕｅ）」が「７」に、「黄（ｙｅｌｌｏｗ）」が「６」に、「あい色（ｃｙａｎ）」が「０」に、「深紅色（ｍａｇｅｎｔａ）」が「４」に、「白（ｗｈｉｔｅ）」が「５」に、「黒（ｂｌａｃｋ）」が「８」にそれぞれ対応付けられている。操作部のマトリックスボタンスイッチのいずれかが操作されると、表示部上の各画素とその表示色との情報がメモリ部の予め決められた領域へ記憶される。【選択図】　　　図４
2004096652.tif 000002
【特許請求の範囲】
【請求項１】
ｍ行ｎ列（ｍ，ｎは正の整数）で配置されたマトリックス状のボタンスイッチと、前記ｍ行ｎ列のボタンスイッチ各々に対応するｍ行ｎ列の画素を表示可能な表示画面とを含む携帯型端末装置であって、前記ボタンスイッチの押下操作に対応する画素を選択する選択手段と、前記ボタンスイッチを使用した前記ｍ行ｎ列の画素各々の表示色情報の設定処理への切替えを指示する指示手段と、前記指示手段で前記表示色情報の設定処理への切替えが指示された後に押下されるボタンスイッチに予め設定された色情報を用いて前記選択手段で選択された画素を表示させる手段とを有することを特徴とする携帯型端末装置。
【請求項２】
前記画素は、複数のドットからなり、前記複数のドットを同一の色情報を基に表示することを特徴とする請求項１記載の携帯型端末装置。
【請求項３】
前記色情報は、有彩色及び無彩色と、明度と、彩度とのうちの少なくとも一つを含むことを特徴とする請求項１または請求項２記載の携帯型端末装置。
【請求項４】
前記マトリックス状のボタンスイッチ各々は、色の直線的な変化に応じた色情報が予め設定されていることを特徴とする請求項１から請求項３のいずれかに記載の携帯型端末装置。
【請求項５】
前記マトリックス状のボタンスイッチ各々は、色相環及び色度図のうちのいずれかの色の並び順序と同様の順序で前記色情報が予め設定されていることを特徴とする請求項４記載の携帯型端末装置。
【請求項６】
前記前記選択手段で選択された画素を、当該画素の表示色と白色とを交互に選択表示させることを特徴とする請求項１から請求項５記載の携帯型端末装置。
【請求項７】
ｍ行ｎ列（ｍ，ｎは正の整数）で配置されたマトリックス状のボタンスイッチと、前記ｍ行ｎ列のボタンスイッチ各々に対応するｍ行ｎ列の画素を表示可能な表示画面とを含む携帯型端末装置の画素入力方法であって、前記ボタンスイッチの押下操作に対応する画素を選択するステップと、その選択された画素を前記ボタンスイッチを使用した前記ｍ行ｎ列の画素各々の表示色情報の設定処理への切替えが指示された後に押下されるボタンスイッチに予め設定された色情報を用いて表示させるステップとを有することを特徴とする画素入力方法。
【請求項８】
前記画素は、複数のドットからなり、前記複数のドットを同一の色情報を基に表示することを特徴とする請求項７記載の画素入力方法。
【請求項９】
前記色情報は、有彩色及び無彩色と、明度と、彩度とのうちの少なくとも一つを含むことを特徴とする請求項７または請求項８記載の画素入力方法。
【請求項１０】
前記マトリックス状のボタンスイッチ各々は、色の直線的な変化に応じた色情報が予め設定されていることを特徴とする請求項７から請求項９のいずれかに記載の画素入力方法。
【請求項１１】
前記マトリックス状のボタンスイッチ各々は、色相環及び色度図のうちのいずれかの色の並び順序と同様の順序で前記色情報が予め設定されていることを特徴とする請求項１０記載の画素入力方法。
【請求項１２】
前記前記選択手段で選択された画素を、当該画素の表示色と白色とを交互に選択表示させることを特徴とする請求項７から請求項１１のいずれかに記載の画素入力方法。
【請求項１３】
ｍ行ｎ列（ｍ，ｎは正の整数）で配置されたマトリックス状のボタンスイッチと、前記ｍ行ｎ列のボタンスイッチ各々に対応するｍ行ｎ列の画素を表示可能な表示画面とを含む携帯型端末装置の画素入力方法のプログラムであって、コンピュータに、前記ボタンスイッチの押下操作に対応する画素を選択する処理と、その選択された画素を前記ボタンスイッチを使用した前記ｍ行ｎ列の画素各々の表示色情報の設定処理への切替えが指示された後に押下されるボタンスイッチに予め設定された色情報を用いて表示させる処理とを実行させるためのプログラム。
【発明の詳細な説明】
【０００１】
【発明の属する技術分野】
本発明は携帯型端末装置及びそれに用いる画素入力方法並びにそのプログラムに関し、特に携帯型端末装置における表示画面上の文字や絵文字を構成する各画素の表示色の変更に関する。
【０００２】
【従来の技術】
近年、携帯電話に代表される携帯型端末装置は小型化がますます進むとともに、音声通話のみでなく、文字や操作者の任意で自由な絵文字を含んだ通信文の送受信を行う通信方法が実現されてきている。
【０００３】
そのため、このように小型な携帯型端末装置においては、自由な文字や絵文字をすばやく、簡単に、しかも誤りなく入力する方法が必要となってきている（例えば、特許文献１参照）。
【０００４】
上記の公報記載の技術では、端末上でマトリックス状に構成されたマトリックスキーボタンスイッチを使用し、このマトリックス状に配置された１つのボタンスイッチ位置と表示の１つのドット配置位置とを１対１に対応させ、１つのボタンスイッチを入力した時に、対応する表示上のドットを輝度反転させる構成が提案されている。このように構成すれば、１つのドットの輝度反転は１回のボタンスイッチ入力で実現することができ、利便性が良い。
【０００５】
【特許文献１】
特開昭５８−０８４３５９号公報
【０００６】
【発明が解決しようとする課題】
しかしながら、近年、さらに、小型の携帯端末でもカラー表示機能を具備している場合も多く、上記のようにボタンスイッチの１回入力によって１つのドットの輝度を反転する方法では、いわゆる「白黒」の表示操作のみに限られ、自由に色表示を組合せた、いわゆる「カラー」表示を自在に、しかも簡便に操作する機能に欠けるという問題がある。
【０００７】
そこで、本発明の目的は上記の問題点を解消し、希望の位置の画素の希望の色の変更を少ないボタン操作で行うことができる携帯型端末装置及びそれに用いる画素入力方法並びにそのプログラムを提供することにある。
【０００８】
【課題を解決するための手段】
本発明による携帯型端末装置は、ｍ行ｎ列（ｍ，ｎは正の整数）で配置されたマトリックス状のボタンスイッチと、前記ｍ行ｎ列のボタンスイッチ各々に対応するｍ行ｎ列の画素を表示可能な表示画面とを含む携帯型端末装置であって、前記ボタンスイッチの押下操作に対応する画素を選択する選択手段と、前記ボタンスイッチを使用した前記ｍ行ｎ列の画素各々の表示色情報の設定処理への切替えを指示する指示手段と、前記指示手段で前記表示色情報の設定処理への切替えが指示された後に押下されるボタンスイッチに予め設定された色情報を用いて前記選択手段で選択された画素を表示させる手段とを備えている。
【０００９】
本発明による画素入力方法は、ｍ行ｎ列（ｍ，ｎは正の整数）で配置されたマトリックス状のボタンスイッチと、前記ｍ行ｎ列のボタンスイッチ各々に対応するｍ行ｎ列の画素を表示可能な表示画面とを含む携帯型端末装置の画素入力方法であって、前記ボタンスイッチの押下操作に対応する画素を選択するステップと、その選択された画素を前記ボタンスイッチを使用した前記ｍ行ｎ列の画素各々の表示色情報の設定処理への切替えが指示された後に押下されるボタンスイッチに予め設定された色情報を用いて表示させるステップとを備えている。
【００１０】
本発明による文字入力方法のプログラムは、ｍ行ｎ列（ｍ，ｎは正の整数）で配置されたマトリックス状のボタンスイッチと、前記ｍ行ｎ列のボタンスイッチ各々に対応するｍ行ｎ列の画素を表示可能な表示画面とを含む携帯型端末装置の画素入力方法のプログラムであって、コンピュータに、前記ボタンスイッチの押下操作に対応する画素を選択する処理と、その選択された画素を前記ボタンスイッチを使用した前記ｍ行ｎ列の画素各々の表示色情報の設定処理への切替えが指示された後に押下されるボタンスイッチに予め設定された色情報を用いて表示させる処理とを実行させている。
【００１１】
すなわち、本発明の携帯型端末装置は、上記の問題点を解決すべく、操作者が簡単な方法で任意のカラー表示の文字や絵文字を入力可能なできる構成を実現することを特徴としている。
【００１２】
より具体的に説明すると、本発明の携帯型端末装置では、マトリックス状のボタンスイッチがｍ行ｎ列（ｍ，ｎは正の整数）である時、表示部上の任意のドットの集まりを画素と呼び、この画素を表示部上にすきまなく並べ、画素ｍ行ｎ列とボタンスイッチｍ行ｎ列とを１対１に対応させている。
【００１３】
本発明の携帯型端末装置では、マトリックス状のボタン一つ一つに任意の表示色を対応させ、マトリックス状ボタンスイッチが操作された時、その対応した表示色が画素の表示色となるように構成している。このように構成することによって、本発明の携帯型端末装置では、マトリックスボタンと画素との位置関係が１対１となり、またマトリックスボタンと変更したい表示色とが対応することになるので、希望の位置の画素の希望の色への変更が少ないボタン操作で可能となる。
【００１４】
また、本発明の携帯型端末装置では、マトリックス状のボタンスイッチに表示色を対応付ける時、色相環や色度図の色の並び順序と同様の色の並び順序をマトリックス状に並んだボタンスイッチへ類似させて対応させるように構成している。例えば、色相環上の色の並びは類似色や補色、及び暖色や寒色が決まった方法によって並んでいる。このことを既知としている操作者は早い表示色の選択が可能となる。
【００１５】
【発明の実施の形態】
次に、本発明の実施例について図面を参照して説明する。図１は本発明の一実施例による携帯型端末装置の構成を示すブロック図である。図１において、本発明の一実施例による携帯型端末装置は制御部１と、メモリ部２と、表示部３と、操作部４と、インタフェース部（Ｉ／Ｆ）５とから構成されている。
【００１６】
メモリ部２には予め決められたプログラムが記憶されており、制御部１はメモリ部２のプログラムを実行することで表示部３の表示内容を制御する。すなわち制御部１は表示部３に予め決められたコマンドと表示データとを送出することによって、表示部３の表示部分に複数で構成されたドットのうちの任意のドットの表示色を変更する。尚、制御部１で用いる作業領域等としてはメモリ部２のプログラムの記憶領域以外の領域または制御部１内の作業領域等が考えられる。
【００１７】
また、制御部１は操作部４を構成する複数のボタンスイッチ（図示せず）が操作されることによって、スイッチＯＦＦ状態とスイッチＯＮ状態とを検出し、ボタンスイッチのＯＮもしくはＯＦＦの検出によって、メモリ部２の予め決められたプログラムによって表示部３の表示内容を変化させる構成となっている。
【００１８】
さらに、制御部１はインタフェース部５を介してこの端末装置の付加機能を実現する機能ブロックとの間で信号の授受を行うことができる。機能ブロックとは、例えばこの端末装置が通信機器であれば、通信相手先との間で信号の授受を行う機能をもったブロックであり、ゲーム機であればブザーや振動モータ等である。
【００１９】
図２は図１の操作部４におけるボタンスイッチの構成例を示す図である。図２において、操作部４は「１」，「２」，…，「９」，「０」，「＊」，「＃」のようにそれぞれ印字表示されかつ４行３列のマトリックス状に配置された１２個のマトリックスボタンスイッチからなるマトリックスボタンスイッチ部と、「ボタンＡ」及び「ボタンＢ」と印字表示された２個のボタンスイッチ部との２つのボタンスイッチ部分からなる。
【００２０】
マトリックスボタンスイッチ部では、通常、各マトリックスボタンスイッチの押下時にその表面に印字表示された値を制御部１に送出し、ボタンスイッチ部の「ボタンＡ」が押下されると、各マトリックスボタンスイッチに予め割り当てられた色情報を制御部１に送出する。また、「ボタンＡ」が押下された後に、「ボタンＢ」が押下されると、通常の印字表示された値の送出へと切替わる。つまり、ボタンスイッチ部の「ボタンＡ」及び「ボタンＢ」はマトリックスボタンスイッチ部による通常の値を設定する処理と色を設定する処理との切替えに用いられる。
【００２１】
図３は図１の表示部３上の画素と操作部４のマトリックスボタンスイッチとの対応例を示す図である。図３において、表示部３の表示部分には複数のドットが上下左右に整然と並んでおり、それぞれのドットの表示色を制御部１からのコマンドとデータとによって変化させることができる。これによって、操作者は表示色の相違を容易に目視区別することができる。
【００２２】
また、表示部３の表示部分においては、少なくとも２行２列のドット並びを１つの画素として、画素が４行３列に１２個並んだ全８行６列のドット並びと、追加して操作者が４行３列のブロック並びを目視しやすいように、４行３列のブロックの上下左右をそれぞれ１ドット幅で枠状に取り囲んだドット並びとの合わせて１０行８列のドット部分を含んでいる。ここで、画素は上記のように、複数のドットからなるマトリックスボタンに対応する表示エリア用に定義されたものであり、表示画面における画素（ドット）とは異なるものである。
【００２３】
このように構成することで、画素ｍ行ｎ列とボタンスイッチｍ行ｎ列とを１対１に対応させた構成となり、任意の一つのボタンスイッチ操作によって、そのボタンスイッチに対応する画素を選択することができる。
【００２４】
また、マトリックスボタンと任意の表示色とを対応させ、マトリックスボタンが操作された時に、そのマトリックスボタンに対応した表示色で選択された画素を色付け表示することができる。尚、上記の説明ではドット並びを「２行２列」としているが、「３行３列」や「３行４列」等にしてもよく、これに限定されない。
【００２５】
図４は図１の操作部４のマトリックスボタンスイッチと色相環との対応を示す図である。図４において、操作部４のマトリックスボタンスイッチは色相環すなわち「色の環」の色とその順番とにそれぞれ対応している。これによって、操作者は操作部４のマトリックスボタンスイッチの操作時に、直感的に表示色を選択することができ、ひいてはすばやくかつ簡便に表示色を選択表示することができる。
【００２６】
図４では有彩色の色相環として、「赤（ｒｅｄ）」・「緑（ｇｒｅｅｎ）」・「青（ｂｌｕｅ）」の基本３原色と、「黄（ｙｅｌｌｏｗ）」・「あい色（ｃｙａｎ）」・「深紅色（ｍａｇｅｎｔａ）」の３つの二次色との合わせて６色を提案しており、無彩色として「白（ｗｈｉｔｅ）」と「黒（ｂｌａｃｋ）」との２色を提案している。
【００２７】
すなわち、操作部４のマトリックスボタンスイッチにおいては、「赤（ｒｅｄ）」が「２」に、「緑（ｇｒｅｅｎ）」が「９」に、「青（ｂｌｕｅ）」が「７」に、「黄（ｙｅｌｌｏｗ）」が「６」に、「あい色（ｃｙａｎ）」が「０」に、「深紅色（ｍａｇｅｎｔａ）」が「４」に、「白（ｗｈｉｔｅ）」が「５」に、「黒（ｂｌａｃｋ）」が「８」にそれぞれ対応付けられている。
【００２８】
操作部４のマトリックスボタンスイッチのいずれかが操作されると、表示部３上の各画素とその表示色との情報がメモリ部２の予め決められた領域へ記憶される。尚、操作部４のマトリックスボタンスイッチは「明度（輝度）」や「彩度」の設定にも用いることが可能である。
【００２９】
その場合、「明度（輝度）」や「彩度」の設定への切替えは、上記の色指定と同様に、ボタンスイッチ部の「ボタンＡ」及び「ボタンＢ」で行うことができる。また、ボタンスイッチ部の「ボタンＡ」及び「ボタンＢ」以外に、例えば「ボタンＣ」、「ボタンＤ」等を設けることで、色指定のほかに、「明度（輝度）」や「彩度」の設定を切替えながら行うことも可能である。
【００３０】
図５は図１の操作部４のマトリックスボタンスイッチと表示部３の各画素との対応を示す図である。図５において、操作部４のマトリックスボタンスイッチの印字表示「１」は表示部３の画素Ｇ（１，１）に、印字表示「２」は表示部３の画素Ｇ（１，２）に、印字表示「３」は表示部３の画素Ｇ（１，３）に、印字表示「４」は表示部３の画素Ｇ（２，１）に、印字表示「５」は表示部３の画素Ｇ（２，２）に、印字表示「６」は表示部３の画素Ｇ（２，３）に、印字表示「７」は表示部３の画素Ｇ（３，１）に、印字表示「８」は表示部３の画素Ｇ（３，２）に、印字表示「９」は表示部３の画素Ｇ（３，３）に、印字表示「＊」は表示部３の画素Ｇ（４，１）に、印字表示「０」は表示部３の画素Ｇ（４，２）に、印字表示「＃」は表示部３の画素Ｇ（４，３）にそれぞれ対応している。
【００３１】
図６は図１の操作部４のマトリックスボタンスイッチと表示部３での表示色との対応を示す図である。図６において、操作部４のマトリックスボタンスイッチの印字表示「２」は表示色「赤（ｒｅｄ）」に、印字表示「４」は表示色「深紅色（ｍａｇｅｎｔａ）」に、印字表示「５」は表示色「白（ｗｈｉｔｅ）」に、印字表示「６」は表示色「黄色（ｙｅｌｌｏｗ）」に、印字表示「７」は表示色「青（ｂｌｕｅ）」に、印字表示「８」は表示色「黒（ｂｌａｃｋ）」に、印字表示「９」は表示色「緑（ｇｒｅｅｎ）」に、印字表示「０」は表示色「あい色（ｃｙａｎ）」にそれぞれ対応している。印字表示「１」，「３」，「＊」，「＃」はそれぞれ表示色に対応していない。
【００３２】
図７及び図８は本発明の一実施例による携帯型端末装置の文字入力処理を示すフローチャートである。これら図１〜図８を参照して本発明の一実施例による携帯型端末装置の文字入力処理について説明する。尚、図７及び図８に示す処理動作はメモリ部２の予め決められたプログラムを制御部１が実行して操作部３及び表示部４を制御することで実現される。
【００３３】
まず、制御部１は任意の文字や絵文字を入力するために、表示部３の表示部分に図３に示すような８行６列のドット並びを囲むように枠状のドット並びを黒の表示色状態にし、その他のドットは白色の表示色状態にする（図７ステップＳ１）。
【００３４】
次に、制御部１は操作部４のいずれかのマトリックスボタンスイッチが入力操作され、ＯＮ状態へ変化したことを検出した後に（図７ステップＳ２）、ボタンＡが操作された場合（図７ステップＳ３）、ステップＳ１に戻って、再度上記の枠状の表示とスイッチ検出とに遷移する。
【００３５】
制御部１はマトリックスボタンスイッチのいずれかが操作され、そのマトリックスボタンスイッチのＯＮ状態を検出すると（図７ステップＳ４）、配置位置が入力されたマトリックスボタンスイッチと１対１に対応する画素を選択する（図７ステップＳ６）。
【００３６】
制御部１は画素を選択すると、選択した画素を構成している全ドットをマトリックスボタンスイッチのいずれかを操作することによって、そのマトリックスボタンスイッチに対応する表示色に変更させることができる。
【００３７】
また、配置位置が１対１に対応するとは、図３に示すように、例えばマトリックスボタンスイッチの「８」が操作され、マトリックスボタンスイッチ「８」のＯＮ状態が検出されると、画素Ｇ（３，２）が対応するというように、マトリックスボタンスイッチの配置位置並びと同じ配置位置並びの画素が対応するということである。これらマトリックスボタンスイッチと画素との対応関係を図５に示す。
【００３８】
マトリックスボタンスイッチが入力されず、ボタンＢが入力されると（図７ステップＳ５）、制御部１はこのプログラムの実行を終了する。ボタンＢがＯＮ検出されない場合には、再度ステップＳ２へ遷移し、ボタン入力の検出処理が行われる。
【００３９】
ステップＳ５において、配置位置が操作されたマトリックスボタンスイッチと１対１に対応する画素が選択された後、制御部１はメモリ部２の予め決められた領域から選択された該当画素の表示色の情報を検索し（図７ステップＳ７）、白色であることを検出すると、該当する画素を適当な時間間隔で「白色→黒色→白色→黒色→…」と、表示色をブリンクさせ、操作者へ選択画素の位置を判別し易いようにする（図７ステップＳ８）。
【００４０】
制御部１は該当画素が白色以外の表示色であることを検出すると、「表示色→白色→表示色→白色→…」と、上記と同様にブリンクさせ、上記と同様に操作者へ選択画素の位置を判別し易いようにする（図７ステップＳ９）。
【００４１】
次に、制御部１はいずれかのボタンが入力されるか否かを検出し（図８ステップＳ１０）、ボタンＡが入力操作され、ボタンＡのＯＮ状態が検出されると（図８ステップＳ１１）、ステップＳ１に戻って再度枠状の黒色表示を行う。
【００４２】
制御部１はボタンＡがＯＮされず、マトリックスボタンスイッチが操作され、そのマトリックスボタンスイッチのＯＮ状態が検出されると（図８ステップＳ１２）、上述したように、該当画素をＯＮされたマトリックスボタンスイッチに対応する表示色へと変化させる（図８ステップＳ１４）。その後、制御部１は該当画素とその表示色とをメモリ部２の予め決められた領域に記憶する（図８ステップＳ１５）。マトリックスボタンスイッチに対応する表示色とは、上記の通りである。これらマトリックスボタンスイッチと表示色との対応関係の例を図６に示す。
【００４３】
マトリックスボタンスイッチがＯＮされずに、ボタンＢが入力されると（図８ステップＳ１３）、制御部１はこのプログラムの実行を終了する。ボタンＢがＯＮ検出されない場合には、再度ステップＳ１０へ遷移し、ボタン入力の検出処理が行われる。
【００４４】
上記の処理を繰返し行うことで、表示部３の各画素の選択及びその色指定が終了すると、表示部３の各画素Ｇ（１，１）〜Ｇ（１，３），Ｇ（２，１）〜Ｇ（２，３），Ｇ（３，１）〜Ｇ（３，３），Ｇ（４，１）〜Ｇ（４，３）からなる文字や絵文字、及び図形等が色指定された状態で作成される。
【００４５】
このように、本実施例では、マトリックスボタンスイッチ一つ一つに任意の表示色を対応させ、マトリックスボタンスイッチが操作された時、その対応した表示色が画素の表示色となるように構成することによって、マトリックスボタンスイッチと画素との位置関係が１対１となり、またマトリックスボタンスイッチと変更したい表示色とが対応することになるので、希望の位置の画素の希望の色への変更が少ないボタン操作で行うことができる。
【００４６】
また、本実施例では、マトリックスボタンスイッチに表示色を対応付ける時、色相環や色度図の色の並び順序と同様の色の並び順序をマトリックスボタンスイッチへ類似させて対応させるように構成している。例えば、色相環上の色の並びは類似色や補色、及び暖色や寒色が決まった方法によって並んでいる。このことを既知としている操作者は表示色の選択をすばやく行うことができる。
【００４７】
尚、本実施例では、色相環を使用して色相環の表示色の順番とマトリックスボタンスイッチに対応する表示色の順番とを対応させているが、この対応にＣＩＥ（国際照明委員会）の推奨している色度図を使用してもよい。
【００４８】
【発明の効果】
以上説明したように本発明は、ｍ行ｎ列（ｍ，ｎは正の整数）で配置されたマトリックス状のボタンスイッチと、ｍ行ｎ列のボタンスイッチ各々に対応するｍ行ｎ列の画素を表示可能な表示画面とを含む携帯型端末装置において、ボタンスイッチの押下操作に対応する画素を選択し、その選択された画素をボタンスイッチを使用したｍ行ｎ列の画素各々の表示色情報の設定処理への切替えが指示された後に押下されるボタンスイッチに予め設定された色情報を用いて表示させることによって、希望の位置の画素の希望の色の変更を少ないボタン操作で行うことができるという効果が得られる。
【図面の簡単な説明】
【図１】本発明の一実施例による携帯型端末装置の構成を示すブロック図である。
【図２】図１の操作部におけるボタンスイッチの構成例を示す図である。
【図３】図１の表示部上の画素と操作部のマトリックスボタンスイッチとの対応例を示す図である。
【図４】図１の操作部のマトリックスボタンスイッチと色相環との対応を示す図である。
【図５】図１の操作部のマトリックスボタンスイッチと表示部の各画素との対応を示す図である。
【図６】図１の操作部のマトリックスボタンスイッチと表示部での表示色との対応を示す図である。
【図７】本発明の一実施例による携帯型端末装置の文字入力処理を示すフローチャートである。
【図８】本発明の一実施例による携帯型端末装置の文字入力処理を示すフローチャートである。
【符号の説明】
１　制御部
２　メモリ部
３　表示部
４　操作部
５　インタフェース部
【図１】
2004096652.tif 000003
【図２】
2004096652.tif 000004
【図３】
2004096652.tif 000005
【図４】
2004096652.tif 000006
【図５】
2004096652.tif 000007
【図６】
2004096652.tif 000008
【図７】
2004096652.tif 000009
【図８】
2004096652.tif 000010